(57)【要約】      （修正有）【課題】コストを抑えて物品を搬送することができる搬送ケースを提供する。【解決手段】搬送ケースは、本体部１１と、本体部に係合する蓋部１２と、本体部と蓋部とを着脱可能に固定する固定部１３とを有し、本体部及び蓋部の内部には収納部が設けられ、本体部の底部外側面には、本体リブ部が形成され、蓋部の上面部外側面には、本体リブ部に係脱自在に係合しうる膨出部１６が設けられる。固定部１３は本体部側面に設けられた係合突起１７と、係合突起及び蓋部の上面周縁部１８を着脱可能に連結しうる係止片１９とからなる。また、膨出部１６と本体リブ部とを係合させて搬送ケース１０、１００を重ねあわせる時は、蓋部と他の搬送ケースの本体部との間に、搬送ケースを互いに連結固定する連結部材２０が配設される。【選択図】図３
0003199444.tif 000002
【実用新案登録請求の範囲】
【請求項１】
物品を搬送するための搬送ケースであって、本体部と、前記本体部に係合しうる蓋部と、前記本体部と前記蓋部とを着脱可能に固定しうる固定部とを有し、前記本体部及び前記蓋部の内部には物品を収納しうる収納部が設けられ、前記本体部の底部外側面には、本体リブ部が形成され、
前記蓋部の上面部外側面には、前記本体リブ部に係脱自在に係合しうる膨出部が設けられると共に、前記固定部は前記本体部側面に設けられた係合突起と、前記係合突起及び前記蓋部の上面周縁部を着脱可能に連結しうる係止片とからなり、前記膨出部と他の搬送ケースの本体リブ部とを係合させることにより複数の搬送ケースを重ねあわせた場合には、前記蓋部と他の搬送ケースの本体部との間に配設され、複数の搬送ケースを互いに連結固定しうる連結部を有していることを特徴とする搬送ケース。
【請求項２】
前記連結部は、前記本体部側面に設けられた連結突起と、一の搬送ケースの本体部側面に設けられた連結突起及び前記一の搬送ケースの上方に重ねられた他の搬送ケースの蓋部の上面周縁部を連結する連結片とにより構成され、前記収納部には、前記連結片を収納しうる連結片収納部が形成されていることを特徴とする請求項１記載の搬送ケース。
【請求項３】
全体直方体箱状に形成されると共に、前記膨出部と他の搬送ケースの本体リブ部とを係合させ、前記他の搬送ケースを連結固定させた場合には、幅寸法、長さ寸法及び高さ寸法の合計が６００ｍｍ以下であることを特徴とする請求項１記載の搬送ケース。
【請求項４】
前記収納部は、クッション部を有していることを特徴とする請求項１記載の搬送ケース。
【請求項５】
前記物品は歯科用模型であることを特徴とする請求項１記載の搬送ケース。
【考案の詳細な説明】
【技術分野】
【０００１】
本考案は、物品を宅配便で搬送するための搬送ケースに関するものである。
【背景技術】
【０００２】
従来より、物品を搬送するために宅配便が用いられている。物品の破損防止の観点から、段ボール箱等に物品を入れて搬送することが一般的であるため、宅配便の多くは、搬送する対象物が箱状であることを想定し、その料金が、重量と、縦、横、高さの３辺の合計値とで規定されている。
【０００３】
その結果、物品を搬送する場合には、一つの箱にまとめるか、若しくは物品を入れた複数の箱を一つに連結すること、さらに、前記３辺の合計値が同じでも体積が大きくなるように出来るだけ立方体に近い箱にすること等がコスト削減の観点から重要である。
【０００４】
ここで、搬送する物品として、歯科用模型を例に説明する。歯科用模型を搬送する際には、歯科用模型が破損しないように緩衝材により梱包をして、段ボール箱に入れて搬送していた。その結果、梱包後の大きさが梱包前に比して大きくなり、梱包後の歯科用模型に適した大きさの段ボール箱をその都度用意するのは煩雑であると共に、余計なコストがかかるという不具合が生じていた。
特に、歯科用模型自体は、実際の口腔の大きさ程度であってそれほど大きいものではないが、宅配便で送る際には、既述の通り、梱包によって必要以上に大きな段ボール箱で搬送することとなる場合が多く、その場合には、宅配便の料金も高くなってしまうという不具合が生じていた。
【０００５】
またさらに、搬送する歯科用模型の数が１個のみの場合と、同時に複数個搬送する場合とで、適宜段ボールを用意するのは煩雑であり、コスト面での無駄も大きいという不具合もあった。
以上の事情は歯科用模型に限られるものではなく、破損しやすく十分な梱包が必要であり、梱包によって必要以上に大きな段ボール箱で搬送する必要がある物品に共通する不具合でもある。
本件実用新案登録出願人はこのような観点から先行技術調査を行ったが、前記不具合を解消するような技術は発見できなかった。
【特許文献１】特開２００４−１２３２１０号公報
【特許文献２】特開２００２−５１８１９号公報
【考案の開示】
【考案が解決しようとする課題】
【０００６】
本考案は、以上のような従来からの不具合を解消するためのものであって、その課題は、コストを抑えて物品を搬送することができる搬送ケースを提供することにある。
【課題を解決するための手段】
【０００７】
前記課題を解決するために、請求項１に記載の考案にあっては、物品を搬送するための搬送ケースであって、本体部と、前記本体部に係合しうる蓋部と、前記本体部と前記蓋部とを着脱可能に固定しうる固定部とを有し、前記本体部及び前記蓋部の内部には物品を収納しうる収納部が設けられ、前記本体部の底部外側面には、本体リブ部が形成され、前記蓋部の上面部外側面には、前記本体リブ部に係脱自在に係合しうる膨出部が設けられると共に、前記固定部は前記本体部側面及び蓋部側面に夫々設けられた係合突起と、前記係合突起を着脱可能に連結しうる係止片とからなり、前記膨出部と他の搬送ケースの本体リブ部とを係合させることにより複数の搬送ケースを重ねあわせた場合には、前記蓋部と他の搬送ケースの本体部との間に配設され、複数の搬送ケースを互いに連結固定しうる連結部を有していることを特徴とする。
【０００８】
従って、前記膨出部と他の搬送ケースの本体リブ部とを係合させることにより複数の搬送ケースを重ねあわせた場合には、前記連結部によって複数の搬送ケースが互いに連結固定される。
【０００９】
請求項２に記載の考案にあっては、前記連結部は、前記本体部側面に設けられた連結突起と、一の搬送ケースの本体部側面に設けられた連結突起及び前記一の搬送ケースの上方に重ねられた他の搬送ケースの蓋部の上面周縁部を連結する連結片とにより構成され、前記収納部には、前記連結片を収納しうる連結片収納部が形成されていることを特徴とする。
【００１０】
従って、前記一の搬送ケースの上方に前記他の搬送ケースを重ねた場合には、前記連結片によって前記一の搬送ケースの前記連結突起と前記他の搬送ケースの前記上面周縁部とが連結される共に、前記連結片を使用しない場合には、前記連結片が前記連結片収納部に収納される。
【００１１】
請求項３に記載の考案にあっては、全体直方体箱状に形成されると共に、前記膨出部と他の搬送ケースの本体リブ部とを係合させ、前記他の搬送ケースを連結固定させた場合には、幅寸法、長さ寸法及び高さ寸法の合計が６００ｍｍ以下であることを特徴とする。
【００１２】
従って、前記一の搬送ケースと前記他の搬送ケースとを連結固定させた場合には、幅寸法、長さ寸法及び高さ寸法の合計が６００ｍｍ以下の全体直方体箱状に形成された搬送ケースとして構成される。
【００１３】
請求項４に記載の考案にあっては、前記収納部は、クッション部を有していることを特徴とする。
【００１４】
従って、前記搬送ケースによって搬送される前記物品は、前記クッション部を有する前記収納部に収納される。
【００１５】
請求項５に記載の考案にあっては、前記物品は歯科用模型であることを特徴とする。
【００１６】
従って、歯科用模型が前記収納部に収納され、前記搬送ケースによって搬送される。
【考案の効果】
【００１７】
請求項１及び５に記載の搬送ケースにあっては、物品を前記収納部に収納して搬送することができるので、物品を入れるための段ボール箱を用意する必要がなくなる。その結果、搬送する度に段ボール箱を用意するといった煩雑さを解消できると共に、物品を低コストで搬送することができる。
また、請求項１及び５に記載の搬送ケースにあっては、前記膨出部と他の搬送ケースの本体リブ部とを係合させることにより複数の搬送ケースを重ねあわせ、前記連結部によって複数の搬送ケースを互いに連結固定することができるので、物品を同時に複数個搬送する場合であっても、一度に搬送することができ、その結果、コスト面での無駄を解消することができる。
【００１８】
特に、請求項５に記載の搬送ケースにあっては、歯科用模型を前記収納部に収納して搬送することができるので、歯科用模型を入れるための段ボール箱を用意する必要がなくなる。その結果、実際の口腔の大きさ程度である歯科用模型を搬送する度に大きな段ボール箱を用意するといった煩雑さを解消できると共に、歯科用模型をコンパクトに低コストで搬送することができる。
またさらに、請求項５に記載の搬送ケースにあっては、前記膨出部と他の搬送ケースの本体リブ部とを係合させることにより複数の搬送ケースを重ねあわせ、前記連結部によって複数の搬送ケースを互いに連結固定することができるので、歯科用模型を同時に複数個搬送する場合であっても、一度に搬送することができ、その結果、コスト面での無駄を解消することができる。
【００１９】
請求項２に記載の搬送ケースにあっては、前記一の搬送ケースの上方に前記他の搬送ケースを重ねた場合には、前記連結片によって前記一の搬送ケースの前記連結突起と前記他の搬送ケースの前記上面周縁部とが連結されるので、前記膨出部と他の搬送ケースの本体リブ部とを係合させることにより前記一の搬送ケースと前記他の搬送ケースを重ねあわせた場合には、前記連結片によって前記一の搬送ケースと前記他の搬送ケースとを確実に連結固定することができる。
また、請求項２に記載の搬送ケースにあっては、前記連結片を使用しない場合には、前記連結片が前記連結片収納部に収納されるので、前記複数の搬送ケースを単独で使用する場合には、前記連結片が邪魔になるといったことがなく、前記連結片を紛失してしまうといった事態を防止することができる。
さらに、請求項２に記載の搬送ケースにあっては、前記連結片を前記連結片収納部から取り出すことによって、単独で使用していた前記搬送ケースを再び他の搬送ケースと連結して使用することができる。
【００２０】
請求項３に記載の搬送ケースにあっては、前記一の搬送ケースと前記他の搬送ケースとを連結固定させた場合には、幅寸法、長さ寸法及び高さ寸法の合計が６００ｍｍ以下の全体直方体箱状に形成された搬送ケースとして構成されるので、物品を収納した前記一の搬送ケースと前記他の搬送ケースとを連結して搬送することができ、その結果、搬送コストを削減することができる。
特に、請求項３に記載の搬送ケースにあっては、前記一の搬送ケースと前記他の搬送ケースとを連結した場合に、幅寸法、長さ寸法及び高さ寸法の合計が６００ｍｍ以下となるので、多くの宅配便で設定されている最低料金にて搬送することができる。
【００２１】
請求項４に記載の搬送ケースにあっては、前記搬送ケースによって搬送される前記物品は、前記クッション部を有する前記収納部に収納されるので、搬送する物品が破損しないように緩衝材により梱包をする必要がなくなる。その結果、搬送する度に梱包をするといった煩雑さを解消できると共に、物品を低コストで搬送することができる。
【図面の簡単な説明】
【００２２】
【図１】図１は、本考案に係る搬送ケースの一実施の形態において、一の搬送ケースの上方に他の搬送ケースを重ねて連結した状態を示す斜視図である。
【図２】図２は、本考案に係る搬送ケースの一実施の形態において、一の搬送ケースの上方に他の搬送ケースを重ねて連結した状態を示し、（ａ）は平面図、（ｂ）は側面図である。
【図３】図３は、本考案に係る搬送ケースの一実施の形態において、一の搬送ケースと他の搬送ケースとを連結させる前の状態を示す斜視図である。
【図４】図４は、本考案に係る搬送ケースの一実施の形態において、本体部から蓋部を外し、クッション部が視認できる状態を示す斜視図である。
【図５】図５は、本考案に係る搬送ケースの一実施の形態を示し、係合していた蓋部を外し、上方に離間させた状態を示す斜視図である。
【図６】図６は、本考案に係る搬送ケースの一実施の形態において、蓋部に設けられた連結片収納部に連結片を収納した状態を示す斜視図である。
【図７】図７は、本考案に係る搬送ケースの一実施の形態において、一の搬送ケースの本体リブ部を他の搬送ケースの膨出部に係合させる状態を示す斜視図である。
【考案を実施するための最良の形態】
【００２３】
以下、添付図面に示す実施の形態に基づき、本考案を詳細に説明する。
図１に示すように、本実施の形態に係る搬送ケース１０は、全体が合成樹脂により略直方体箱状に形成され、本体部１１と、本体部１１に係合しうる蓋部１２と、本体部１１と蓋部１２とを着脱可能に固定しうる固定部１３、１３、１３、１３とを有し、図４〜図６に示すように、本体部１１及び蓋部１２の内部には歯科用模型（図示せず）を収納しうる収納部１４、１４が設けられている。
また、図２及び図７に示すように、本実施の形態に係る本体部１１の底部外側面には本体リブ部１５が形成され、図１〜図３、図５及び図７に示すように、蓋部１２の上面部外側面には、本体リブ部１５に係脱自在に係合しうる膨出部１６、１６が設けられている。
【００２４】
また、図１〜図５、図７に示すように、本実施の形態に係る固定部１３、１３、１３、１３は、本体部１１の側面部３６、３６に設けられた係合突起１７、１７、１７、１７と、係合突起１７及び蓋部１２の上面周縁部１８を着脱可能に連結しうる係止片１９、１９、１９、１９とにより構成されている。
また、図１〜図３、図７に示すように、本実施の形態に係る搬送ケース１０は、膨出部１６、１６と他の搬送ケース１００の本体リブ部１５とを係合させることにより一対の搬送ケース１０、１００を重ねあわせた場合には、一の搬送ケース１０の蓋部１２と他の搬送ケース１００の本体部１１との間に配設され、一対の搬送ケース１０、１００を互いに連結固定しうる連結部材２０、２０、２０、２０を有している。
【００２５】
また、図１〜図３に示すように、本実施の形態に係る連結部材２０、２０、２０、２０は、本体部１１の側面部３６、３６に設けられた連結突起２１、２１、２１、２１と、一の搬送ケース１０の本体部１１の側面部３６、３６に設けられた連結突起２１及び一の搬送ケース１０の上方に重ねられた他の搬送ケース１００の蓋部１２の上面周縁部１８を連結する連結片２２、２２、２２、２２とにより構成されている。
また、図６に示すように、本実施の形態に係る蓋部１２の収納部１４には、連結片２２、２２、２２、２２を収納しうる連結片収納部２３、２３・・・が形成されている。
【００２６】
また、図１及び２に示すように、本実施の形態において、一の搬送ケース１０の膨出部１６、１６と他の搬送ケース１００の本体リブ部１５とを係合させ、一の搬送ケース１０と他の搬送ケース１００を連結固定させた場合には、幅寸法Ｌ１、長さ寸法Ｌ２及び高さ寸法Ｌ３の合計が６００ｍｍとなるように構成されている。
【００２７】
また、図４に示すように、本実施の形態に係る収納部１４、１４は、クッション部２４、２４を有している。
【００２８】
本実施の形態に係る搬送ケース１０の構成について、添付図面を用いてより詳細に説明する。
図５に示すように、本実施の形態に係る本体部１１は、上方に開口部２５を有する略直方体箱状に形成されている。また、図１〜図５、図７に示すように、本実施の形態に係る係合突起１７、１７、１７、１７は、互いに所定寸法離間して、開口部２５に沿って、本体部１１の長さ方向側面部３６、３６から外方へ突出して形成されている。本実施の形態に係る係合突起１７、１７、１７、１７は、所定の幅寸法を有する鉤爪状に形成されている。
【００２９】
また、図１〜図５、図７に示すように、本実施の形態に係る連結突起２１、２１、２１、２１は、係合突起１７、１７、１７、１７の長さ方向内方に隣接して、開口部２５に沿って、本体部１１の長さ方向側面部３６、３６から外方へ突出して形成されている。本実施の形態に係る連結突起２１、２１、２１、２１は、係合突起１７、１７・・・と同一形状の鉤爪状に形成されている。
【００３０】
図７に示すように、本実施の形態に係る本体リブ部１５は、本体部１１の底部外側面周縁部から所定寸法内方に離間して、底部外側面周縁部に沿って全周に亘り、本体部１１の底部外側面から外方へ突出して、全体長方形枠状に形成されている。
【００３１】
また、図５に示すように、本実施の形態に係る蓋部１２は、下方に開口部２６を有し、本体部１１と略同一の幅寸法、長さ寸法、高さ寸法を有する略直方体箱状に形成されている。
また、図１〜図７に示すように、本実施の形態に係る蓋部１２の側面部には、突条部２７、２７、２８、２８が、開口部２６に沿って、係止片１９及び連結片２２が当接しうる部分以外の開口部２６周縁に亘り、蓋部１２の側面部外方及び蓋部１２下方へ突出して形成されている。
【００３２】
また、図１〜図３、図５に示すように、本実施の形態に係る蓋部１２の上面周縁部１８には、係止片１９及び連結片２２が係合しうる線状突部２９、２９、２９、２９が上面周縁部１８の長さ方向に沿って、図３に示すように、係止片１９及び連結片２２が係合しうる長さ寸法Ｌ４に形成されている。
【００３３】
また、図１〜図３、図５及び図７に示すように、本実施の形態に係る膨出部１６、１６は、平面略長方形状の一対の膨出片１６、１６として、互いに所定間隔離間して、蓋部１２の幅方向に沿って、蓋部１２の上面部外側面から外方へ突出して形成されている。
【００３４】
図１〜図４、図７に示すように、本実施の形態に係る係止片１９は、側面略Ｌ字状に形成され、係合突起１７に係合しうる軸部３０と、直角に折曲して形成され、蓋部１２の線状突部２９に係合しうる爪部３１とを有している。
また、図１〜図３、図７に示すように、本実施の形態に係る連結片２２は、側面略Ｌ字状に形成され、搬送ケース１０の連結突起２１に係合しうる軸部３２と、搬送ケース１００の連結突起２１を内方へ収納しうる空隙部３３と、蓋部１２の線状突部２９に係合しうる爪部３４とを有している。
【００３５】
図６に示すように、本実施の形態に係る連結片収納部２３、２３・・・は、収納部１４を構成する蓋部１２の上面部内側面において、連結片２２の幅寸法分離間して、収納部１４内方へ突出して形成された突起２３、２３・・・として構成されている。
【００３６】
図４に示すように、本実施の形態に係るクッション部２４、２４は、全体がスポンジにより収納部１４、１４と略同一の大きさに形成され、収納される歯科用模型（図示せず）との接触面には、凹凸部３５、３５が設けられている。
【００３７】
以下、本実施の形態に係る搬送ケース１０の作用について、添付図面を用いて説明する。
図４に示すように、本実施の形態に係る搬送ケース１０を使用する場合には、本体部１１及び蓋部１２に設けられた収納部１４、１４に、夫々、クッション部２４、２４をはめ込んで、クッション部２４、２４間に歯科用模型（図示せず）を挟持させる。
【００３８】
この際、図４に示すように、本実施の形態に係る搬送ケース１０にあっては、搬送ケース１０によって搬送される歯科用模型は、クッション部２４、２４を有する収納部１４、１４に収納されるので、搬送する歯科用模型が破損しないように緩衝材により梱包をする必要がなくなる。その結果、搬送する度に梱包をするといった煩雑さを解消できると共に、歯科用模型を低コストで搬送することができる。
【００３９】
続いて、図４及び図５に示すように、蓋部１２の開口部２６と本体部１１の開口部２５とを互いに接合する。
この際、図３及び図７に示すように、蓋部１２に形成された突条部２７、２７、２８、２８が本体部１１の側面部３６、３６を支持するので、本体部１１と蓋部１２とを確実に係合することができる。
【００４０】
さらに、図４及び図５に示すように、係止片１９、１９・・・の軸部３０、３０・・・を本体部１１の係合突起１７、１７・・・に、夫々、係合させる。この際、係合突起１７に係止片１９の軸部３０が係合した場合には、係止片１９が回動可能に支持される。
その後、図３及び図４に示すように、係止片１９を係合突起１７を中心に回動させ、係止片１９に設けられた爪部３１を蓋部１２の線状突部２９に係合させる。
この際、爪部３１が線状突部２９を乗り越えることにより係止片１９が線状突部２９と係合されることから、係合時の確実なクリック感を得ることができ、本体部１１と蓋部１２とが確実に固定されたことを確認することができる。
【００４１】
以上より、本実施の形態に係る搬送ケース１０にあっては、歯科用模型（図示せず）を収納部１４に収納して搬送することができるので、歯科用模型を入れるための段ボール箱を用意する必要がなくなる。その結果、実際の口腔の大きさ程度である歯科用模型を搬送する度に大きな段ボール箱を用意するといった煩雑さを解消できると共に、歯科用模型をコンパクトに低コストで搬送することができる。
【００４２】
また、前記と同様の操作を搬送ケース１００についても行うことにより、他の歯科用模型（図示せず）を搬送ケース１００に収納することができる。搬送ケース１０と搬送ケース１００とに、夫々、歯科用模型を収納した場合には、図７に示すように、搬送ケース１０の上方に搬送ケース１００を重ねあわせる。
この際、本実施の形態に係る搬送ケース１０にあっては、搬送ケース１０の膨出部１６、１６と搬送ケース１００の本体リブ部１５とを係合させることにより、一対の搬送ケース１０、１００を互いに確実に係合させることができる。
【００４３】
さらに、図４及び図５に示すように、連結片２２、２２・・・の軸部３２、３２・・・を本体部１１の連結突起２１、２１・・・に、夫々、係合させる。この際、連結突起２１に連結片２２の軸部３２が係合した場合には、連結片２２が回動可能に支持される。
その後、図１〜図３に示すように、連結片２２を搬送ケース１０の連結突起２１を中心に回動させ、搬送ケース１００の連結突起２１を連結片２２の空隙部３３の内方へ収納させると共に、連結片２２に設けられた爪部３４を蓋部１２の線状突部２９に係合させる。
この際、爪部３４が線状突部２９を乗り越えることにより連結片２２が線状突部２９と係合されることから、係合時の確実なクリック感を得ることができ、搬送ケース１０と搬送ケース１００とが確実に固定されたことを確認することができる。
【００４４】
以上より、本実施の形態に係る搬送ケース１０にあっては、歯科用模型を収納した搬送ケース１０と搬送ケース１００とを確実に連結固定して、搬送することができる。
その結果、歯科用模型を同時に複数個搬送する場合であっても、一度に搬送することができ、その結果、コスト面での無駄を解消することができる。
【００４５】
またさらに、図１及び図２に示すように、本実施の形態に係る搬送ケース１０にあっては、搬送ケース１０と搬送ケース１００とを連結固定させた場合には、幅寸法Ｌ１、長さ寸法Ｌ２及び高さ寸法Ｌ３の合計が６００ｍｍの全体直方体箱状に形成された搬送ケースとして構成されるので、歯科用模型を収納した搬送ケース１０と搬送ケース１００とを連結して搬送することができ、その結果、搬送コストを削減することができる。
特に、本実施の形態に係る搬送ケース１０にあっては、搬送ケース１０と搬送ケース１００とを連結した場合に、幅寸法Ｌ１、長さ寸法Ｌ２及び高さ寸法Ｌ３の合計が６００ｍｍとなるので、多くの宅配便で設定されている最低料金にて搬送することができる。
【００４６】
また、図６に示すように、本実施の形態に係る搬送ケース１０にあっては、連結片２２を突起２３、２３として形成された連結片収納部２３、２３の間に係合させた場合には、連結片２２が突起２３、２３によって挟持される。
従って、連結片２２、２２・・・を使用しない場合には、連結片２２、２２・・・を連結片収納部２３、２３・・・に収納することができ、その結果、搬送ケース１０を単独で使用する場合には、連結片２２、２２・・・が邪魔になるといったことがなく、連結片２２、２２・・・を紛失してしまうといった事態を防止することができる。
さらに、本実施の形態に係る搬送ケース１０にあっては、連結片２２、２２・・・を連結片収納部２３、２３・・・から取り出すことによって、単独で使用していた搬送ケース１０を再び搬送ケース１００と連結して使用することができる。
【００４７】
本実施の形態に係る搬送ケース１０は、全体が合成樹脂により略直方体箱状に形成され、本体部１１と、本体部１１に係合しうる蓋部１２と、本体部１１と蓋部１２とを着脱可能に固定しうる固定部１３、１３、１３、１３とを有し、本体部１１及び蓋部１２の内部には歯科用模型（図示せず）を収納しうる収納部１４、１４が設けられている場合を例に説明したが、収納しうる物品は歯科用模型に限定されるものではない。
【産業上の利用可能性】
【００４８】
本考案は、物品を搬送するための搬送ケースに広く適用可能であり、産業上利用可能性を有している。
【符号の説明】
【００４９】
１０、１００：搬送ケース
１１：本体部
１２：蓋部
１３：固定部
１４：収納部
１５：本体リブ部
１６：膨出部（膨出片）
１７：係合突起
１８：上面周縁部
１９：係止片
２０：連結部材
２１：連結突起
２２：連結片
２３：連結片収納部（突起）
２４：クッション部
２５、２６：開口部
２７、２８：突条部
２９：線状突部
３０、３２：軸部
３１、３４：爪部
３３：空隙部
３５：凹凸部
３６：本体部の側面部
Ｌ１：搬送ケースの幅寸法
Ｌ２：搬送ケースの長さ寸法
Ｌ３：搬送ケースを２つ重ねあわせた場合の高さ寸法
Ｌ４：線状突部の長さ寸法
【図１】
0003199444.tif 000003
【図２】
0003199444.tif 000004
【図３】
0003199444.tif 000005
【図４】
0003199444.tif 000006
【図５】
0003199444.tif 000007
【図６】
0003199444.tif 000008
【図７】
0003199444.tif 000009